【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
フェース、クラブヘッド・ボディ、およびホーゼルを備え、
前記ホーゼルは、長手方向軸を有するとともに、ゴルフクラブシャフトまたはシャフト・アダプタを受け入れるように構成された穴を画定する管状のホーゼル本体を含み、
前記管状のホーゼル本体は、樹脂と複数の不連続な繊維を含むポリマー材料から射出成形され、
前記管状のホーゼル本体は内側せん断層と中央コア層と外側せん断層を有する壁で構成されており、複数のスプラインが前記管状のホーゼル本体と一体に成形されるとともに前記管状のホーゼル本体の内部表面上に位置しており、
前記複数の不連続な繊維の少なくとも５０％が、前記内側せん断層と前記外側せん断層内において、前記長手方向軸に対する平行の約３０度以内に方向付けられており、
前記中央コア層内の前記繊維が、ランダム化され、かつ／または前記長手方向軸に対して直角となっており、
前記複数の成形されたスプラインは、前記穴の中に挿入された後の前記ゴルフクラブシャフトまたは前記シャフト・アダプタの回転を阻止するように動作可能である、ゴルフクラブヘッド。
【請求項２】
前記複数の不連続な繊維のそれぞれが、約０．０１ｍｍから約１２ｍｍの長さを有する、請求項１に記載のゴルフクラブヘッド。
【請求項３】
前記穴は、約８．５ｍｍから約２０ｍｍの直径を有するとともに、約２５ｍｍから約３５ｍｍの長さを有する、請求項１又は２に記載のゴルフクラブヘッド。
【請求項４】
前記管状のホーゼル本体は、第１の端部および第２の端部を有し、
前記第１の端部は、前記ゴルフクラブシャフトまたは前記シャフト・アダプタを前記穴の中に挿入できるようにする第１の開口部を画定し、
前記第２の端部は、前記第１の開口部よりも小さい第２の開口部を画定し、前記第２の開口部は、ねじのねじ付部分が前記第２の端部を通って前記穴の中に延びることができるように動作可能である、請求項１〜３のいずれか一項に記載のゴルフクラブヘッド。
【請求項５】
前記ポリマー材料は、約４０重量％から約９０重量％の樹脂のものである、請求項１〜４のいずれか一項に記載のゴルフクラブヘッド。
【請求項６】
前記樹脂は熱可塑性ポリマーである、請求項１〜５のいずれか一項に記載のゴルフクラブヘッド。
【請求項７】
前記ポリマー材料は、カーボン充填ポリアミドである、請求項１〜６のいずれか一項に記載のゴルフクラブヘッド。
【請求項８】
前記複数の繊維のそれぞれは、約０．０１ｍｍから約３ｍｍの長さを有する、請求項１〜７のいずれか一項に記載のゴルフクラブヘッド。
【請求項９】
前記クラブヘッド・ボディは、前記ポリマー材料から形成されており、前記ホーゼルと一体に成形される、請求項１〜８のいずれか一項に記載のゴルフクラブヘッド。
【手続補正２】
【補正対象書類名】明細書
【補正対象項目名】００３６
【補正方法】変更
【補正の内容】
【００３６】
「１つの（ａ）」、「１つの（ａｎ）」、「その（ｔｈｅ）」、「少なくとも１つの」、および「１つまたは複数の」は、相互に交換可能に使用されて、事項の少なくとも１つが存在するが、文脈が明確にその他の形を示さない限り、複数のこのような事項が存在する可能性のあることを示している。添付の特許請求の範囲を含む本明細書における（例えば、量または条件の）パラメータのすべての数値的な値は、数値的な値の前に「約」が実際にあるかどうかにかかわらず、すべての例において「約」という用語によって修飾されるものと理解されたい。「約」は、示された数値的な値が、何らかのわずかな不正確さを許容することを示している（値の正確さへの何らかの近接、その値の前後もしくはかなり近い、おおよそ）。あるいは、「約」により提供される不正確さが、他に当技術分野のこの普通の意味で理解されない場合、本明細書で使用される「約」は、このようなパラメータを測定および用いる通常の方法から生ずる可能性のある少なくとも変動を示す。加えて、範囲の開示は、すべての値、および範囲全体に含まれるさらに分割された範囲の開示を含む。範囲内の各値、および範囲の端点は、本明細書によりすべて別個の実施形態として開示される。「備える／含む（ｃｏｍｐｒｉｓｅｓ）」、「備える／含む（ｃｏｍｐｒｉｓｉｎｇ）」、「含む」、および「有する」という用語は、包含的なものであり、したがって、述べられた事項の存在を指定するが、他の事項の存在を排除するものではない。本明細書で使用される場合、「または」という用語は、列挙された事項のうちの１つまたは複数のものの任意の、かつすべての組合せを含む。様々な事項を互いに区別するために、第１、第２、第３などの用語が使用される場合、これらの指定は、単に便宜上のものに過ぎず、事項を限定するものではない。
以下の項目は、国際出願時の特許請求の範囲に記載の要素である。
（項目１）
フェース、クラブヘッド・ボディ、およびホーゼルを備え、
前記ホーゼルは、長手方向軸を有するとともに、ゴルフクラブシャフトまたはシャフト・アダプタを受け入れるように構成された穴を画定する管状のホーゼル本体を含み、
前記管状のホーゼル本体は、樹脂と複数の不連続な繊維を含むポリマー材料から成形される、ゴルフクラブヘッド。
（項目２）
前記複数の不連続な繊維のそれぞれが、約０．０１ｍｍから約１２ｍｍの長さを有する、項目１に記載のゴルフクラブヘッド。
（項目３）
前記複数の不連続な繊維の少なくとも５０％が、前記長手方向軸に対する平行の約３０度以内に方向付けられる、項目１に記載のゴルフクラブヘッド。
（項目４）
前記穴は、約８．５ｍｍから約２０ｍｍの直径を有するとともに、約２５ｍｍから約３５ｍｍの長さを有する、項目１に記載のゴルフクラブヘッド。
（項目５）
前記管状のホーゼル本体は、第１の端部および第２の端部を有し、
前記第１の端部は、前記ゴルフクラブシャフトまたは前記シャフト・アダプタを前記穴の中に挿入できるようにする第１の開口部を画定し、
前記第２の端部は、前記第１の開口部よりも小さい第２の開口部を画定し、前記第２の開口部は、ねじのねじ付部分が前記第２の端部を通って前記穴の中に延びることができるように動作可能である、項目１に記載のゴルフクラブヘッド。
（項目６）
前記ホーゼルは、前記管状のホーゼル本体と一体に成形されるとともに、前記第１の端部に直接隣接する複数のスプラインを含み、
前記複数の成形されたスプラインは、前記管状のホーゼル本体の内部表面上にあり、前記穴の中に挿入された後の前記ゴルフクラブシャフトまたは前記シャフト・アダプタの回転を阻止するように動作可能である、項目５に記載のゴルフクラブヘッド。
（項目７）
前記ポリマー材料は、約４０重量％から約９０重量％の樹脂のものである、項目１に記載のゴルフクラブヘッド。
（項目８）
前記樹脂は熱可塑性ポリマーである、項目１に記載のゴルフクラブヘッド。
（項目９）
前記ポリマー材料は、カーボン充填ポリアミドである、項目１に記載のゴルフクラブヘッド。
（項目１０）
前記複数の繊維のそれぞれは、約０．０１ｍｍから約３ｍｍの長さを有する、項目１に記載のゴルフクラブヘッド。
（項目１１）
前記クラブヘッド・ボディは、前記ポリマー材料から形成されており、前記ホーゼルと一体に成形される、項目１に記載のゴルフクラブヘッド。
（項目１２）
ゴルフクラブヘッドのためのポリマーホーゼルを製作するための方法であって、
樹脂と複数の不連続な繊維を含むポリマー材料から管状のホーゼル本体を成形するステップを含み、
前記成形された管状のホーゼル本体は、長手方向軸を有しており、ゴルフクラブシャフトまたはシャフト・アダプタを受け入れるように構成された穴を画定し、
前記管状のホーゼル本体は、前記ゴルフクラブヘッドのボディと繋がっている、方法。
（項目１３）
前記複数の不連続な繊維のそれぞれは、約０．０１ｍから約１２ｍｍの長さを有する、項目１２に記載の方法。
（項目１４）
前記管状のホーゼル本体を成形する前記ステップは、前記管状のホーゼル本体の第１の端部から前記管状のホーゼル本体の第２の端部へと流れるように、前記ポリマー材料を型の中へと射出するステップを含む、項目１２に記載の方法。
（項目１５）
前記管状のホーゼル本体の前記第２の端部で前記型にベントを設けるステップをさらに含む、項目１２に記載の方法。
（項目１６）
前記管状のホーゼル本体の前記第２の端部は、前記ゴルフクラブシャフトまたは前記シャフト・アダプタを前記穴の中に挿入できるようにする開口部を画定する、項目１５に記載の方法。
（項目１７）
前記長手方向軸に対する平行の約３０度以内に方向付けられるように、前記複数の不連続な繊維の少なくとも５０％を整列させるステップをさらに含む、項目１２に記載の方法。
（項目１８）
前記クラブヘッド・ボディが、前記管状のホーゼル本体と一体に形成されるように、前記ポリマー材料からクラブヘッド・ボディを成形するステップをさらに含む、項目１２に記載の方法。
（項目１９）
フェース、クラブヘッド・ボディ、およびホーゼルを備え、
前記ホーゼルは、ゴルフクラブシャフトまたはシャフト・アダプタを受け入れるように構成された穴を画定する管状のホーゼル本体を含み、
前記管状のホーゼル本体は、約２００Ｍｐａを超える引張強さを有する充填ポリマー材料から成形される、ゴルフクラブヘッド。
（項目２０）
前記充填ポリマー材料は、樹脂および複数の不連続な繊維を含む熱可塑性物質であり、
前記複数の不連続な繊維の少なくとも５０％が、前記長手方向軸に対する平行の約３０度以内に方向付けられる、項目１９に記載のゴルフクラブヘッド。